(57)【特許請求の範囲】
【請求項１】
既存の通信回線、およびＬＡＮに接続された画像処理装置において、
前記既存の通信回線を介して受信した画像データを蓄積する画像蓄積手段と、
前記ＬＡＮに接続された情報処理端末に対して、受信に係る画像データを前記画像蓄積手段に蓄積した旨の情報を伝送、または受信に係る画像データを転送して受信通知を行う受信通知手段と、
送信側で予め設定された画像データの配送先を解析する解析手段と、
前記解析手段による解析に基づき配送先の使用者に対応するＬＡＮ上のアドレスを設定するアドレス設定手段と、
画像データに基づく画像を記録紙上に記録する記録手段とを有し、
前記既存の通信回線を介して画像データを受信した際、前記解析手段により解析された配送先に対応する使用者のＬＡＮ上のアドレスを前記アドレス設定手段により設定し、当該アドレスの情報処理端末に対して前記受信通知手段による受信通知を行い、
画像データの配送先が特定の指示を表す場合は、受信に係る画像データを複数の使用者で共有されるディレクトリに格納させ、画像データの配信先が送信側で設定されていない場合は前記記録手段で該画像データに基づく画像の記録を行うことを特徴とする画像処理装置。
【請求項２】
請求項１記載の画像処理装置において、ＬＡＮに接続されたいずれかの端末にて管理されている使用者のアドレス情報をアクセスするアクセス手段と、前記アクセス手段により周期的に前記使用者に前記受信通知が可能かどうかを監視する監視手段を有し、前記既存の通信回線を介して画像データを受信した際、前記解析手段により解析された配送先に対応する使用者のアドレス情報を前記アクセス手段によりアクセスし、その対応する配送先に前記受信通知が可能でない場合は、前記監視手段により周期的に使用者に前記受信通知が可能かどうかを監視し、対応する配送先への前記受信通知が可能であるとの情報が得られた後に、対応する配送先に対して前記受信通知手段による受信通知を行うことを特徴とする画像処理装置。
【請求項３】
請求項１記載の画像処理装置において、前記受信通知手段による受信通知が所定時間以内にできないとき、前記記録手段で前記画像データに基づく画像の記録を行うことを特徴とする画像処理装置。
【請求項４】
既存の通信回線、およびＬＡＮに接続されるとともに画像データに基づく画像を記録する記録手段を有する画像処理装置の制御方法において、
前記既存の通信回線を介して画像データを受信した際、送信側で予め設定された画像データの配送先を解析し、該配送先のアドレスの情報処理端末に対して受信通知を行い、画像データの配信先が特定の指示を表す場合は、受信に係る画像データを複数の使用者で共有されるディレクトリに格納し、画像データの配送先が送信側で設定されていない場合は前記記録手段で該画像データに基づく画像を記録させることを特徴とする画像処理装置の制御方法。  
【発明の詳細な説明】
【０００１】
【産業上の利用分野】
本発明は、画像処理装置、特にＬＡＮに接続可能なファクシミリ機能を有する画像処理装置、及びその制御方法に関する。
【０００２】
【従来の技術】
従来、公衆電話網（ＰＳＴＮ）等の既存の通信回線の他にＬＡＮにも接続可能なファクシミリ機能を有する画像処理装置が知られており、この種の画像処理装置では、公衆電話網を介して受信した画像データは、予め定められた配送相手先のＬＡＮ上のアドレスに対応する情報処理端末に対して転送されていた。また、送信先で設定される配送先情報により、受信時に受信転送・着信拒否・記録紙受信・同報などの受信モードや転送モードを切り換えることは行われていなかった。
【発明が解決しようとする課題】
【０００３】
上記のように、従来のＬＡＮに接続可能なファクシミリ機能を有する画像処理装置では、受信した画像データは、予め定められた配送先のＬＡＮ上のアドレスに対応する情報処理端末に配送されるため、その情報処理端末を利用する複数の使用者が受信情報を受け取ることが可能となり、受信情報のセキュリティの点で問題があった。また、配送先の使用者が指定に係る情報処理端末以外の情報処理端末を使用している場合は、配送先の使用者が受信情報を迅速に知得することができなかった。
【０００４】
また、受信画像の配送先が特定されていない場合や、間違った配送先が指定されている場合に、着信拒否・記録紙受信などの受信モードや転送モードを切換えられないため、配送制御におけるユーザーインターフェイスが劣るものとなっていた。
【０００５】
本発明は、このような背景の下になされたもので、その目的は、既存の通信回線、およびＬＡＮに接続された画像処理装置、及びその制御方法において、既存の通信回線を介して受信した画像データの配送制御を適切に行うとともに、受信する画像データに応じて受信モードの切り替えを適切に行うことができるようにすることにある。
【０００６】
【課題を解決するための手段】
上記目的を達成するため、第１の発明は、既存の通信回線、およびＬＡＮに接続された画像処理装置において、前記既存の通信回線を介して受信した画像データを蓄積する画像蓄積手段と、前記ＬＡＮに接続された情報処理端末に対して、受信に係る画像データを前記画像蓄積手段に蓄積した旨の情報を伝送、または受信に係る画像データを転送して受信通知を行う受信通知手段と、送信側で予め設定された画像データの配送先を解析する解析手段と、前記解析手段による解析に基づき配送先の使用者に対応するＬＡＮ上のアドレスを設定するアドレス設定手段と、画像データに基づく画像を記録紙上に記録する記録手段とを有し、前記既存の通信回線を介して画像データを受信した際、前記解析手段により解析された配送先に対応する使用者のＬＡＮ上のアドレスを前記アドレス設定手段により設定し、当該アドレスの情報処理端末に対して前記受信通知手段による受信通知を行い、画像データの配送先が特定の指示を表す場合は、受信に係る画像データを複数の使用者で共有されるディレクトリに格納させ、画像データの配信先が送信側で設定されていない場合は前記記録手段で該画像データに基づく画像の記録を行うよう構成されている。
【０００７】
上記目的を達成するため、第２の発明は、第１の発明に係る画像処理装置において、ＬＡＮに接続されたいずれかの端末にて管理されている使用者のアドレス情報をアクセスするアクセス手段と、前記アクセス手段により周期的に前記使用者に前記受信通知が可能かどうかを監視する監視手段を有し、前記既存の通信回線を介して画像データを受信した際、前記解析手段により解析された配送先に対応する使用者のアドレス情報を前記アクセス手段によりアクセスし、その対応する配送先に前記受信通知が可能でない場合は、前記監視手段により周期的に使用者に前記受信通知が可能かどうかを監視し、対応する配送先への前記受信通知が可能であるとの情報が得られた後に、対応する配送先に対して前記受信通知手段による受信通知を行うよう構成されている。
【０００８】
上記目的を達成するため、第３の発明は、第１の発明に係る画像処理装置において、前記受信通知手段による受信通知が所定時間以内にできないとき、前記記録手段で前記画像データに基づく画像の記録を行うよう構成されている。
【００１０】
上記目的を達成するため、第４の発明は、既存の通信回線、およびＬＡＮに接続されるとともに画像データに基づく画像を記録する記録手段を有する画像処理装置の制御方法において、前記既存の通信回線を介して画像データを受信した際、送信側で予め設定された画像データの配送先を解析し、該配送先のアドレスの情報処理端末に対して受信通知を行い、画像データの配信先が特定の指示を表す場合は、受信に係る画像データを複数の使用者で共有されるディレクトリに格納し、画像データの配送先が送信側で設定されていない場合は前記記録手段で該画像データに基づく画像を記録させるよう構成されている。  
【００１１】
【作用】
第１、第４の発明では、送信側が配送先を設定している場合にはその配送先のアドレスの情報処理端末に対して受信通知を行い、画像データの配信先が特定の指示を表す場合は、受信に係る画像データを複数の使用者で共有されるディレクトリに格納し、送信側が配送先を設定していない場合には受信画像データを記録手段で記録紙上に記録するように切り替えることにより、受信した画像データの配送制御を適切に行うとともに、受信する画像データに応じて受信モードの切り替えを適切に行う。
【００１２】
第２の発明では、前記既存の通信回線を介して画像データを受信した際、前記解析手段により解析された配送先に対応する使用者のアドレス情報を前記アクセス手段によりアクセスし、対応する配送先に前記受信通知が可能でない場合は、前記監視手段により周期的に使用者に前記受信通知が可能かどうかを監視し、対応する配送先への前記受信通知が可能であるとの情報が得られた後に、対応する配送先に対して前記受信通知手段による受信通知を行うことにより、受信した画像データを確実に配送先の使用者の情報処理端末に配送し、かつ、迅速にアクセスすることが可能となる。
【００１３】
第３の発明では、前記受信通知手段による受信通知が所定時間以内にできないとき、前記記録手段で前記画像データに基づく画像の記録を行うことにより、受信通知が所定時間内にできない場合であっても、受信した画像データを確実に記録紙上に記録することが可能となる。
【００１６】
【実施例】
以下、本発明の実施例を図１〜図１０を参照しながら詳細に説明する。
【００１７】
［第１実施例］
図１は、本発明の実施例による画像処理装置を適用した通信システムのシステム構成図である。本実施例による画像処理装置は、ＬＡＮ１００に直接接続可能なファクシミリ装置（以下、ＬＡＮ−ＦＡＸという）１０１により構成され、このＬＡＮ−ＦＡＸ１０１は、公衆電話網（ＰＳＴＮ）１０２にも接続されている。ＬＡＮ１００には、複数のワークステーション（情報処理端末）１０４の他に、ＬＡＮ１００上のファイル管理等のＬＡＮ１００の管理を行うサーバーマシン１０３も接続されている。
【００１８】
図２は、ＬＡＮ−ＦＡＸ１０１の概略構成を示すブロック図である。ＬＡＮ−ＦＡＸ１０１は、ＣＰＵ２０１を中核として、ファクシミリ通信に関する各種の制御を行うものであり、ＣＰＵ２０１には、ＲＯＭ２０２、ＲＡＭ２０３、画像メモリ２０４、解像度変換処理部２０５、通信用符号化復号化処理部２０６、読取／記録用符号化復号化処理部２０７、モデム２０８、ＮＣＵ２０９、画像処理部２１０、スキャナ２１１、操作部２１２、ラインバッファ２１３、ＬＡＮインタフェイス２１４、プリンタ２１５、およびプリンタフォーマッタ２１６が接続されている。
【００１９】
ＲＯＭ２０２には、各種の制御プログラムがプリセットされており、ＣＰＵ２０１はこれら制御プログラムに従って、後述する各種制御を行う。ＲＡＭ２０３は、スタティックＲＡＭ等により構成され、プログラム制御変数を格納するなどワークメモリとして利用される。また、オペレータが操作部２１２を介して登録した各種の設定値や装置の管理データ等もＲＡＭ２０３に格納される。画像メモリ２０４は、ダイナミックＲＡＭ等により構成され、画像データを蓄積するために利用される。
【００２０】
解像度変換処理部２０５は、ラスタデータのミリ−インチ解像度変換などの解像度変換処理を行い、通信用符号化復号化処理部２０６および読取／記録用符号化復号化処理部２０７は、夫々、通信用、読取／記録用として、画像データの符号化復号化処理を行う。モデム２０８は、ファクシミリの送受信信号の変復調を行うものであり、ＮＣＵ２０９は、通信回線１０２に選択信号（ダイヤルパルス、またはトーンダイヤラ）を送出し、呼出音を検出して自動着信動作を行う等の回線制御を行う。
【００２１】
スキャナ２１１は、ＣＳイメージセンサ、原稿搬送機構などにより構成され、原稿情報を光学的に読取って電気的な画像データに変換するものである。画像処理部２１０は、スキャナ２１１により読取られた画像データに対して各種の補正処理を施して高精細な画像データとして出力する。操作部２１２は、キーボード等により構成され、オペレータが各種入力操作を行うために使用される。
【００２２】
ラインバッファ２１３は、画像データの転送制御を行う際に、順次１ライン単位で画像データを一時的に記憶する。ＬＡＮインタフェイス２１４は、ＬＡＮ１００に接続するためのインタフェイスである。なお、本実施例では、ＬＡＮ１００は、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）のプロトコルに準拠したネットワークであり、ＬＡＮインタフェイス２１４も同様にＴＣＰ／ＩＰのプロトコルに準拠している。
【００２３】
プリンタ２１５は、受信画像やファイルデータを記録紙に印刷するレーザビームプリンタである。プリンタフォーマッタ２１６は、ワークステーション１０４などからのファイルデータを印刷する際に、プリンタ記述言語を解析し、画像データに変換する。
【００２４】
次に、公衆電話網１０２を介して受信した受信画像をＬＡＮ１００上の情報処理端末に配送する配送制御動作を図３、図４のフローチャートに従って説明する。
【００２５】
まず、ＬＡＮ−ＦＡＸ１０１は、着信時に発信局から受信したＮＳＦ（非標準端末機能）フレームに格納されている配送先情報を解析する（ステップＳ３０１）。なお、本実施例においては、ＮＳＦフレームに格納されている配送先情報は、配送先ユーザのユーザ名（ログイン名）であり、この配送先情報は、相手先略称としてＡＳＣＩＩコードで格納されているものとする。そして、解析した配送先情報を配送先ユーザ名として設定する（ステップＳ３０２）。次に、ＬＡＮ−ＦＡＸ１０１により指定されたユーザ名情報の解析をサーバーマシン１０３により行い、その解析結果をＬＡＮ−ＦＡＸ１０１に送信する（ステップＳ３０３）。
【００２６】
ここで、サーバーマシン１０３により行われるユーザ名情報の解析制御について説明する。ＬＡＮ−ＦＡＸ１０１からサーバーマシン１０３にユーザ名情報解析要求信号を送信し、サーバーマシン１０３から解析要求許可信号が得られた場合に、ＬＡＮ−ＦＡＸ１０１は、サーバーマシン１０３にユーザ名情報を送信する。すると、サーバーマシン１０３は、受信したユーザ名情報をもとに、ユーザ名やＬＡＮに接続された情報処理端末の使用状況などを管理するサーバーマシン１０３内のユーザ管理テーブルを参照して、ユーザ名情報を解析する。この解析結果は、ユーザ名の登録の有無、ユーザの使用している使用している情報処理端末１０４のＬＡＮ１００上のアドレスなどで構成されている。なお、この際のＬＡＮ−ＦＡＸ１０１とサーバーマシン１０３との間における情報等の送受信は、ＴＣＰ／ＩＰのプロトコルに従って行われ、サーバーマシン１０３における解析制御は、サーバーマシン１０３にインストールされた解析制御用アプリケーションソフトにより実行される。
【００２７】
次に、ＬＡＮ−ＦＡＸ１０１は、ユーザ名情報の解析結果を受信した後、設定されたユーザ名がＬＡＮ１００上のユーザとしてサーバーマシン１０３に登録されているか否かを判別する（ステップＳ３０４）。その結果、登録されていないときは、間違いＦＡＸとして着信を拒否し（ステップＳ３１６）、受信制御を中止して（ステップＳ３１７）、終了する。
【００２８】
一方、設定されたユーザ名が登録されているときは、受信制御を継続して受信画像データをＬＡＮ−ＦＡＸ１０１内の画像メモリ２０４に蓄積して（ステップＳ３０５）、受信制御を終了する（ステップＳ３０６）。そして、再度、サーバーマシン１０３に対してユーザ名情報の解析を依頼して、この解析を実行させる（ステップＳ３０７）。ここでは、サーバーマシン１０３は、前記ユーザ管理テーブルに基づいてユーザのログイン状況を解析し、指定されたユーザがログインしている情報処理端末のＬＡＮ１００上のアドレスであるＩＰアドレスを解析結果として、ＬＡＮ−ＦＡＸ１０１に送信するものとする。なお、指定されたユーザがＬＡＮ１００上の情報処理端末にログインしていないときは、ログイン端末無しの旨を示すメッセージを送信するものとする。
【００２９】
ＬＡＮ−ＦＡＸ１０１は、サーバーマシン１０３から再度の解析結果を受信すると、その解析結果が指定に係るユーザのログインを示しているか否かを判別する（ステップＳ３０８）。その結果、ＩＰアドレスを受信して指定に係るユーザのログインを示しておれば、そのＬＡＮ１００上のアドレスであるＩＰアドレスの設定を行う（ステップＳ３０９）。
【００３０】
次に、設定したＩＰアドレスをもとに、当該アドレスの端末に受信画像データを配送するための受信画像ファイルを作成して、サーバーマシン（ファイルサーバ）１０３に転送すべく、ＬＡＮ−ＦＡＸ１０１内のＬＡＮインターフェイス２１４よりＬＡＮ１００上に送出する（ステップＳ３１０）。この受信画像ファイルは、ＬＡＮ１００のプロトコルであるＴＣＰ／ＩＰのプロトコルに対応する構成となっている。
【００３１】
すなわち、受信画像ファイルは、ＭＡＣ（Ｍｅｄｉａ  Ａｃｃｅｓｓ  Ｃｏｎｔｒｏｌ）アドレス・ＩＰヘッダ・ＴＣＰヘッダ・データ部などから構成されている。データ部は、アプリケーション層であり、本実施例では、配送する受信画像データをファイルサーバ１０３のメモリ上の指定されたアドレス位置に格納するため、指定されたアドレスなどの情報を格納するコマンドデータファイルと、受信画像データが格納されている画像データファイルの２つのファイルを送信するものである。ファイルサーバ１０３で所定の位置に格納する制御は、ファイルサーバ１０３上のアプリケーションソフトにより、コマンドファイルの情報をもとに、ファイルサーバ１０３がアクティブ状態なり、次に受信した画像データアイルのデータを所定の位置に格納することにより行う。なお、送信先のアドレスとしては、ファイルサーバ１０３のアドレスが格納され、送信元のアドレスとしては、ＬＡＮ−ＦＡＸ１０１のアドレスが格納される。
【００３２】
次に、受信画像ファイルをファイルサーバ１０３に配送した後、指定されたアドレスに対応する端末に対して受信があった旨を通知するため、まず、受信通知メール情報をファイルサーバ１０３に転送する（ステップＳ３１１）。ここで、受信通知メール情報は、配送先情報・受信結果・受信時刻・受信相手先情報・受信枚数などの通信情報により構成されている。
【００３３】
ファイルサーバ１０３は、ファイルサーバ１０３にインストールされたアプリケーションソフトにより、ＬＡＮ−ＦＡＸ１０１から転送された受信通知メール情報に基づいて受信通知メールを作成し、指定に係るユーザの情報処理端末に対して送信（配送）する（ステップＳ３１２）。
【００３４】
ステップＳ３０８にて、指定に係るユーザがＬＡＮ１００上の情報処理端末にログインしていないと判別されたときは、ＬＡＮ−ＦＡＸ１０１は、Ｔ秒間待機し（ステップＳ３１３）、この待機をＮ回繰返したか否かを判別する（ステップＳ３１４）。その結果、Ｎ回繰返していなければ、ステップＳ３０７に戻って、再度、ファイルサーバ１０３にユーザのログイン状況の解析を依頼する。一方、Ｎ回繰返したとき、すなわち、ログイン状況をＮ回解析しても指定に係るユーザがＬＡＮ１００上の情報処理端末１０４にログインしていないときは、ＬＡＮ−ＦＡＸ１０１のプリンタ２１５により受信画像を印刷して（ステップＳ３１５）、終了する。
【００３５】
次に、配送監視制御動作を図５のフローチャートに従って説明する。ここで、配送監視制御とは、指定された情報処理端末に配送された受信画像情報をユーザが確認するのを監視することをいう。
【００３６】
まず、監視タイマーなどの初期設定を行い（ステップＳ４０１）、サーバーマシン１０３により配送に係る受信画像情報に対するアクセス状況を検出する（ステップＳ４０２）。このアクセス状況の検出は、サーバーマシン１０３に予めインストールされたアクセス状況検出用のアプリケーションソフトにより行われるものであり、情報処理端末に送信された前記受信通知メールの開封状況に基づいて検出されるものとする。
【００３７】
そして、配送に係る受信画像情報に対してアクセスがなされたか否かを判別する（ステップＳ４０３）。その結果、アクセスがなされているときは、終了する。一方、アクセスがなされていないときは、サーバーマシン１０３により、ユーザのログイン状況を解析する（ステップＳ４０４）。このログイン状況の解析は、上記ユーザ名情報解析と同様に行われ、解析結果としてユーザのＩＰアドレスがサーバーマシン１０３からＬＡＮ−ＦＡＸ１０１に送信されるものとする。
【００３８】
そこで、ＬＡＮ−ＦＡＸ１０１は、送信されたＩＰアドレスに基づいて、指定に係るユーザがＬＡＮ１００上の別の情報処理端末にログインしたか否かを判別する（ステップＳ４０５）。その結果、指定に係るユーザがＬＡＮ１００上の別の情報処理端末にログインしていなければ、監視タイマーがタイムアップするのを待って（ステップＳ４０６）、その監視タイマーのタイムアップがｎ回繰返されたか否かを判別する（ステップＳ４０７）。
【００３９】
その結果、ｎ回繰返されていないときは、ステップＳ４０１に戻って、監視タイマーを初期設定する。一方、監視タイマーのタイムアップがｎ回繰返されておれば、ユーザはログインしてはいるが情報処理端末を使用していないものとして、ＬＡＮ−ＦＡＸ１０１のプリンタ２１５により、受信画像を印刷して（ステップＳ４０８）、終了する。
【００４０】
ステップＳ４０５にて、他の情報処理端末にログインしたと判別されたときは、新たにＬＡＮ１００上のアドレスを設定し（ステップＳ４０９）、受信通知メールを作成して送信し（ステップＳ４１０、Ｓ４１１）、ステップＳ４０１に戻って配送監視制御を継続する。
【００４１】
［第２実施例］
第１実施例では、受信画像の配送先の指定は、ＮＳＦフレームに格納された配送先ユーザ名情報により行っていたが、これに限定されることなく他の方式で行ってもよい。
【００４２】
例えば、ＩＴＵ−Ｔで規格化されたパスワード（ＰＷＤ）フレームにパスワードデータを格納し、ＬＡＮ−ＦＡＸ１０１内でパスワードデータをユーザ名情報に変換して、受信画像の配送制御を行ってもよい。この場合、パスワードデータの変換は、図６に示したような、パスワードに対応するユーザ名情報を登録したパスワードテーブルをＬＡＮ−ＦＡＸ１０１内に記憶しておき、このパスワードテーブルを参照することにより行えばよい。
【００４３】
また、ＩＴＵ−ＴのＴＳＩフレームに相手先電話番号として、例えば相手先内線番号を格納し、ＬＡＮ−ＦＡＸ１０１内で内線番号をユーザ名情報に変換して、受信画像の配送制御を行ってもよい。この場合、内線番号の変換は、図７に示したような、内線番号に対応するユーザ名情報を登録した内線番号テーブルをＬＡＮ−ＦＡＸ１０１内に記憶しておき、この内線番号テーブルを参照することにより行えばよい。
【００４４】
［第３実施例］
第１実施例の受信配送制御では、受信モードと転送モードとの切替えは、ユーザのログイン状況に基づいて行っていたが、これに限定されることなく他の方式で行ってもよい。例えば、ＩＴＵ−Ｔで規格化されたサブアドレス（ＳＵＢ）フレームにＬＡＮ１００上のアドレスデータを直接指定し、このアドレス情報に基づいて受信モードと転送モードとの切替えを行ってもよい。
【００４５】
また、第１実施例では、受信通知メールは、ＬＡＮ−ＦＡＸ１０１からサーバマシン１０３に受信通知メール情報を送信し、この受信通知メール情報に基づいてサーバマシン１０３により作成して送信していたが、これに限定されることなく、例えばＬＡＮ−ＦＡＸ１０１内に既存のメール通信手段を有する場合は、ＬＡＮ−ＦＡＸ１０１から直接受信通知メールを送信してもよい。
【００４６】
次に、上記アドレス直接指定方式による受信モードと転送モードとの切替え制御を、図８のフローチャートに従って説明する。なお、この場合のＬＡＮ１００上のデータの送受信は、ＴＣＰ／ＩＰのプロトコルに基づいて行われるものとする。
【００４７】
まず、着信時に発信局から受信したサブアドレスのフレームを解析して（ステップＳ７０１）、ＩＰアドレスの設定を行う（ステップＳ７０２）。なお、配送先ユーザ指定は、サブアドレスのＦＩＦに格納されている、ＬＡＮ−ＦＡＸ１０１内でＬＡＮ１００上のＩＰアドレスなどのアドレスデータにより行われるものとする。
【００４８】
ここで、ＴＣＰ／ＩＰのプロトコルにおけるデータ構成およびＩＰアドレスのデータ構成について説明する。図８は、ＩＰアドレスのデータ構成の概略図である。ＩＰアドレスは、ネットワークセグメントのアドレスを示すものであり、クラス識別子・ネットワークアドレス・ホストアドレスクラスにより構成される３２ビットのアドレスデータである。ＩＰアドレスの構成は、クラス（Ａ、Ｂ、Ｃの３種類）により異なり、クラスＡは大規模ＬＡＮ（国家規模のネットワーク）、クラスＢは中規模ＬＡＮ（企業・大学内ネットワーク）、クラスＣは小規模ＬＡＮに用いられるものであって、クラスによってネットワークアドレス・ホストアドレスの構成ビット数が異なっている。また、ネットワークは、ホスト（端末）が接続されているイーサネットなどのセグメントを示すものであり、ホストアドレスは、各セグメント内のホストを識別するものである。
【００４９】
図１０はＴＣＰ／ＩＰのデータ構成の概略図であり、９０４は送信元を示すＭＡＣアドレス（６バイト）である。このＭＡＣアドレスは、ＬＡＮ１００に接続される機器固有のアドレスであり、ＯＳＩレイヤ７におけるデータリンク層に相当するものである。
【００５０】
９０６はＩＰヘッダであり、ＯＳＩレイヤ７におけるネットワーク層のプロトコルに相当するものである。このＩＰヘッダには、ネットワーク上の機器にアクセスするためのアドレスが設定されるものであり、送信元のＩＰアドレス９０６ａ、送信先のＩＰアドレス９０６ｂが設定されるものである。９０７はＴＣＰヘッダであり、ＯＳＩレイヤ７におけるデータ転送の信頼性の確保を規定するトランスポート層に相当するものである。９０８はデータ部であり、このデータ部に画像データやコマンドデータなどが格納されるものである。
【００５１】
ステップＳ７０２にてＩＰアドレスの設定を行った後、このＩＰアドレスを解析し、受信モードと転送モードとの切替制御を開始する。すなわち、ＩＰアドレスのネットワークアドレスの一致検出を行う（ステップＳ７０３）。ネットワークアドレスが一致しないときは、異なるネットワークにアクセスしたものと判定して着信を拒否し（ステップ７１４）、受信制御を中止する（ステップ７１５）。
【００５２】
ネットワークアドレスが一致した場合は、当該ネットワークにアクセスしたものと判定して受信を開始し、受信画像をＬＡＮ−ＦＡＸ１０１内の画像メモリ２０４に蓄積し、ホストアドレスの一致検出を行う（ステップＳ７０４）。このホストアドレスの一致検出は、指定されたホストアドレスに対応するＬＡＮ１００上のＩＰアドレスが存在しているか否かを判断することにより行われる。
【００５３】
ステップＳ７０４にて、ホストアドレスの一致が検出されたときは、そのホストアドレスに受信画像の配送先を確定して転送モードを設定し、そのホストアドレスに対応するファイルサーバ１０３上のディレクトリである個人ディレクトリに受信画像ファイルを転送して格納する（ステップＳ７０５）。なお、この受信画像転送制御は、予めサーバーマシン１０３にインストールされた受信画像ファイル格納アプリケーションソフトにより行われるものである。
【００５４】
このようにして、受信画像ファイルをファイルサーバ１０３に転送した後、指定されたアドレスに対応する端末に対して受信があった旨を通知するため、受信通知メールを作成して（ステップＳ７０６）、ユーザに受信通知メールを送信する（ステップＳ７０７）。なお、受信通知は、ＬＡＮ−ＦＡＸ１０１により、既存のメールツールを利用して行い、受信時刻・受信相手先情報・受信枚数などの通信情報と、受信した旨を伝えるメッセージを予め定められたフォーマットに従って作成し、指定されたアドレスに対応する端末に送信するものである。このようにして、ユーザに受信通知メールを送信した後、配送監視制御を開始し（ステップＳ７０８）、受信画像配送制御を終了する。
【００５５】
ステップＳ７０４にて、ホストアドレスの一致が検出されなかったときは、そのホストアドレスが同報送信の指示であるブロードキャストアドレスであるか否かを判別する（ステップＳ７０９）。その結果、同報送信の指示であるブロードキャストアドレスであれば、転送モードを設定し、受信画像ファイルをファイルサーバー１０３上の全ユーザーで共有するディレクトリである掲示板ディレクトリに転送する（ステップＳ７１０）。この同報送信制御は、受信画像ファイルをファイルサーバー１０３上の掲示板ディレクトリに格納し、全ユーザに対して受信通知メールを送信するものであり、この制御もサーバーマシン１０３上の前記受信画像ファイル格納アプリケーションソフトにより行われるものである。
【００５６】
次に、受信があった旨をＬＡＮ１００上の全ユーザーに対して通知するため、受信通知メールを作成し（ステップＳ７１１）、全ユーザーに対して送信し（ステップＳ７１２）、配送監視制御を開始する（ステップＳ７１３）。
【００５７】
ステップＳ７０９にて、同報送信の指示であるブロードキャストアドレスでないと判別されたときは、受信画像の配送先が指定されていないものとして、受信モードを設定し、受信画像をＬＡＮ−ＦＡＸ１０１のプリンタ２１５により出力して（ステップＳ７１３）、受信配送制御を終了する。
【００５８】
［第４実施例］
第１実施例、第３実施例における受信画像配送制御、配送監視制御における受信モードと転送モードとの切替は、他の方式で行うことも可能である。
【００５９】
例えば、受信画像配送制御において、ユーザー名情報やアドレス情報の一致が検出されなかったときに、受信を継続して受信画像を出力してもよい。また、配送監視制御時に、配送に係る受信画像の確認（受取り）がなされない場合に、ＬＡＮ−ＦＡＸ１０１内の画像メモリに蓄積したまま、代行受信として配送監視制御を終了してもよい。さらに、受信モードと転送モードとの切替は、上記のように予め定められた手順に基づいて自動的に行うことなく、例えば、ユーザーの切替操作に応答して行うようにしてもよい。
【００６０】
［第５実施例］
ＬＡＮ１００上のプロトコルは、上記実施例ではＴＣＰ／ＩＰのプロトコルに従って制御していたが、例えば、ＳＰＸ／ＩＰＸなどの他のプロトコルに従って制御することも可能である。
【００６１】
【発明の効果】
以上説明したように、本発明によれば、受信した画像データの配送制御を適切に行うとともに、受信する画像データに応じて受信モードの切り替えを適切に行うことができる。すなわち、送信側が配送先を設定している場合には、その配送先のアドレスの情報処理端末に対し受信通知を行い、送信側が配送先として特定の指示を設定している場合には、複数のユーザが閲覧できるように受信画像データを複数の使用者で共有されるディレクトリに格納し、送信側が配送先を設定していない場合には、受信画像データを記録手段で記録紙上に記録するように切り替えることが可能となる。
【図面の簡単な説明】
【図１】本発明の実施例による画像処理装置のＬＡＮへの接続例を示す図である。
【図２】本発明の実施例による画像処理装置の概略構成を示すブロック図である。
【図３】受信画像データの受信配送制御を示すフローチャートである。
【図４】図３の続きのフローチャートである。
【図５】受信画像データの配送監視制御を示すフローチャートである。
【図６】ユーザー名情報の解析を行うためのパスワードテーブルを示す図である。
【図７】ユーザー名情報の解析を行うための内線番号テーブルを示す図である。
【図８】図３とは異なる方式による受信画像データの受信配送制御を示すフローチャートである。
【図９】ＴＣＰ／ＩＰのプロトコルで用いられるＩＰアドレスの概略構成図である。
【図１０】ＴＣＰ／ＩＰのプロトコルの概略構成図である。
【符号の説明】
１００…ＬＡＮ
１０１…ＬＡＮ−ＦＡＸ
１０２…公衆電話網
１０３…ファイルサーバ（サーバマシン）
１０４…情報処理端末
２０１…ＣＰＵ
２０２…ＲＯＭ
２０３…ＲＡＭ
２０４…画像メモリ
２０９…ＮＣＵ
２１４…ＬＡＮインターフェイス
２１５…プリンタ
【図１】
0003630710.tif 000002
【図２】
0003630710.tif 000003
【図３】
0003630710.tif 000004
【図４】
0003630710.tif 000005
【図５】
0003630710.tif 000006
【図６】
0003630710.tif 000007
【図７】
0003630710.tif 000008
【図８】
0003630710.tif 000009
【図９】
0003630710.tif 000010
【図１０】
0003630710.tif 000011